(57)【要約】【課題】撮影画像から選別条件を判定することが困難な場合においても、複数の撮影画像の中から所望の画像の選択を容易にすることができるカメラを提供することを目的とする。【解決手段】被写体の像を撮影する撮像部と、撮影時における周囲の音を検出する音検出部と、前記撮像部により取得された画像を、前記音検出部により検出された音の情報と関連付けて記録する画像記録部と、前記音の情報に基づいて、前記画像記録部に記録されている画像の並び替えを行う画像ソート部と、該画像ソート部により並び替えられた順序で画像を表示する表示部とを備えるカメラを採用する。【選択図】図１
2009065461.tif 000002
【特許請求の範囲】
【請求項１】
被写体の像を撮影する撮像部と、
撮影時における周囲の音を検出する音検出部と、
前記撮像部により取得された画像を、前記音検出部により検出された音の情報と関連付けて記録する画像記録部と、
前記音の情報に基づいて、前記画像記録部に記録されている画像の並び替えを行う画像ソート部と、
該画像ソート部により並び替えられた順序で画像を表示する表示部とを備えるカメラ。
【請求項２】
前記音の情報が、前記音検出部により検出された音の大きさである請求項１に記載のカメラ。
【請求項３】
前記音の情報が、前記音検出部により検出された音のスペクトルである請求項１に記載のカメラ。
【請求項４】
音を記録する音記録部と、
該音記録部に記録された音のスペクトルと前記音検出部により検出された音のスペクトルとの比較を行う音比較部とを有し、
前記画像ソート部が、前記音比較部による比較結果に基づいて画像の並び替えを行う請求項３に記載のカメラ。
【請求項５】
前記音検出部が、指向性を有する請求項１から請求項４のいずれかに記載のカメラ。
【発明の詳細な説明】
【技術分野】
【０００１】
本発明は、撮影画像の並び替えを行うカメラに関するものである。
【背景技術】
【０００２】
従来、複数の撮影画像の中から所望の画像の選択を容易にするために、撮影画像の中から目や顔等の特定の人物部分を抽出し、抽出した目や顔等の状態を判別することにより、予め設定された条件の下で複数の撮影画像を評価し、高い評価の撮影画像を選別する方法が知られている（例えば、特許文献１参照。）。
【特許文献１】特開２００５−４５６００号公報
【発明の開示】
【発明が解決しようとする課題】
【０００３】
しかしながら、ある特定の条件（目や顔の状態）のみで画像を評価する上記技術では、例えば、不特定多数の被写体を撮影する場合や、様々な構図の撮影をする場合や、被写体の光量が少ないために撮影画像から選別条件を判定することが困難な場合において、撮影者が所望する画像を選別することができないという不都合がある。
【０００４】
本発明は、上記事情に鑑みてなされたもので、撮影画像から選別条件を判定することが困難な場合においても、複数の撮影画像の中から所望の画像の選択を容易にすることができるカメラを提供することを目的とする。
【課題を解決するための手段】
【０００５】
上記課題を解決するために、本発明は以下の手段を採用する。
本発明は、被写体の像を撮影する撮像部と、撮影時における周囲の音を検出する音検出部と、前記撮像部により取得された画像を、前記音検出部により検出された音の情報と関連付けて記録する画像記録部と、前記音の情報に基づいて、前記画像記録部に記録されている画像の並び替えを行う画像ソート部と、該画像ソート部により並び替えられた順序で画像を表示する表示部とを備えるカメラを採用する。
【０００６】
本発明によれば、撮像部により取得された画像が、音検出部により検出された撮影時における音の情報と関連付けられて画像記録部に記録される。そして、画像ソート部により音の情報に基づいて画像の並び替えが行われ、並び替えられた順序にて画像が表示部に表示される。これにより、ユーザは音の情報に基づいて並び替えられた順序で画像を確認することができる。
【０００７】
ここで、例えば、パーティーの乾杯のシーンや、被写体の感情が強く表れるシーン（被写体が笑ったり泣いたりするシーン）等の印象的なシーンでは、音や声が発せられる場合が多い。したがって、音の情報に基づいて並び替えられた画像を確認することにより、ユーザにとって印象的なシーンを撮影した画像を優先的に表示することができる。その結果、多数の画像の中から所望の画像を容易に探し出すことができる。
【０００８】
また、上記発明において、前記音の情報が、前記音検出部により検出された音の大きさとしてもよい。
音の情報として、音自体ではなく音の大きさとすることにより、音の情報を記録するための記録容量を低減することができる。
【０００９】
また、上記発明において、前記音の情報が、前記音検出部により検出された音のスペクトルとしてもよい。
音の情報として、音自体ではなく音のスペクトルとすることにより、音の情報を記録するための記録容量を低減するとともに、特定の周波数分布に基づいた画像の並び替えが可能となる。
【００１０】
また、上記発明において、音を記録する音記録部と、該音記録部に記録された音のスペクトルと前記音検出部により検出された音のスペクトルとの比較を行う音比較部とを有し、前記画像ソート部が、前記音比較部による比較結果に基づいて画像の並び替えを行うこととしてもよい。
【００１１】
このようにすることで、音記録部に記録された特定の音のスペクトルと音検出部により検出された音のスペクトルとの比較結果に基づいて、画像ソート部により画像の並び替えが行われる。例えば、音記録部に特定の被写体の声を記録しておくことにより、周囲の雑音の影響を排除しつつ、特定の被写体の声に基づいて画像の並び替えが行われるので、特定の被写体に関連する画像をより優先的に表示部に表示することが可能となる。
【００１２】
また、上記発明において、前記音検出部が、指向性を有することとしてもよい。
このようにすることで、音検出部を向けた特定の被写体の声の検出精度を向上させることができる。したがって、画像ソート部による撮影画像の並び替えをより適切に行うことができる。
【発明の効果】
【００１３】
本発明によれば、撮影画像から選別条件を判定することが困難な場合においても、複数の撮影画像の中から所望の画像の選択を容易にすることができるという効果を奏する。
【発明を実施するための最良の形態】
【００１４】
以下に、本発明の一実施形態に係るカメラについて、図面を参照して説明する。
図１に示すように、本実施形態に係るカメラ１は、被写体の像を撮影する撮像部２と、撮像部２によって取得された画像を処理する画像処理装置３と、画像を記録する記録メディア等である記録部１０５と、例えば、背面液晶等の表示デバイスである表示部１０６と、周囲の音を検出する音検出部１２１と、これらを制御する制御装置４とを備えている。
【００１５】
撮像部２は、レンズ等の撮像光学系１０１と、ＣＣＤ等の撮像素子１０２とを備えている。
制御装置４は、ユーザが操作ボタン等によってＩＳＯ感度や露出などの撮影条件の設定を行う操作部１０７と、設定された条件に基づいて各部を制御する制御部１０８とを備えている。
【００１６】
画像処理装置３は、入力された画像に対して画像処理を行う画像処理部１０３と、画像処理された画像を音検出部１２１により検出された音の情報と関連付けて一時保存するバッファメモリ１１１と、各画像に関連付けられた音の情報に基づいてバッファメモリ１１１に記録された画像の並び替えを行う画像ソート部１１０とを備えている。
【００１７】
画像処理部１０３は、撮像素子１０２により取得された画像に対して、γ補正、色分離、および色マトリックス補正等の高画質化のための画像処理を施し、画像処理が行われた画像をバッファメモリ１１１に出力するようになっている。
【００１８】
画像ソート部１１０は、バッファメモリ１１１に一時保存された画像を読み出し、各画像に関連付けられた音の情報に基づいてバッファメモリ１１１より読み出した画像の並び替えを行い、並び替えた画像を表示部１０６に出力するようになっている。具体的には、音検出部１２１により検出された音の情報、例えば、音量が大きい順から、表示部１０６に優先的に表示するように画像の並び替えを行う。
この際、各画像のファイル名を優先度順位に基づいて変更してもよいし、あるいは優先度順位がわかるようなインデックスを各画像に付してもよい。
【００１９】
表示部１０６は、記録部１０５に記録された画像を、フォーマット変換を行うことによりユーザに目視可能に表示するようになっている。
記録部１０５は、表示部１０６により表示された画像のうち、ユーザにより選択された画像を記録するようになっている。
【００２０】
このように構成された本実施形態に係るカメラの作用について、具体的な例を挙げて以下に説明する。
例えば、図２（ａ）に示すようなパーティーの乾杯のシーンや、図２（ｂ）に示すような被写体の感情が強く表れているシーンでは、大きな音や声が発せられる場合が多い。ここでは、図２（ｂ）に示すシーンを撮影した場合について説明する。
【００２１】
図３に示すように、ユーザによってシャッタボタン７が半押しにされた時点から、音検出部１２１にて検出した音の情報の記録が開始される。なお、ここでは、記録する音の情報は、実際に音検出部１２１にて検出した音声データであるとして説明する。
音声データの記録は、シャッタボタン７が全押しにされた時点、もしくは全押しから予め設定された時間、例えば、数秒経過した後まで継続される。なお、記録された音声データは、そのまま記録してもよいし、例えば、ＭＰＥＧ等の圧縮処理を施した後に記録することとしてもよい。
【００２２】
また、上記の音声データの記録と並行して、以下のように被写体の撮影が行われる。
まず、ユーザによってシャッタボタン７が半押しされることにより、図示しない露出調整部により撮像部２の露出が調節される。
そして、ユーザによってシャッタボタン７が全押しされることにより、撮像光学系１０１によって取得された被写体の像は、撮像光学系１０１を介して撮像素子１０２の撮像面に結像され、撮像素子１０２によって電気信号に変換された被写体の像が、画像データとして取得され、画像処理部１０３に出力される。
【００２３】
画像処理部１０３では、入力された画像データに対してγ補正等の高画質化のための画像処理が施される。そして、画像処理された画像データは、バッファメモリ１１１に出力され、音検出部１２１により検出された音声データと関連付けられて一時保存される。具体的には、バッファメモリ１１１は、各画像データに対し、音声データと関連付けて保存されていることを示すフラグを付ける。
【００２４】
そして、画像ソート部１１０により、各画像に関連付けられた音声データに基づいて、画像の並び替えが行われる。具体的には、音声データの音量が大きい順に、その音声データに関連付けられた画像データの並び替えが行われる。なお、並び替えは、連写撮影が終わった後に自動的に行ってもよいし、ユーザが画像選択モードを選択することにより行ってもよい。
【００２５】
各画像データは、図４に示すように、表示部１０６に音声データの音量が大きい順に目視可能に表示され、表示された画像に対してユーザによる選択が促される。
つまり、ユーザは、まず、最も音量が大きい撮影シーンにおいて撮影した画像を確認し、当該画像が所望の画像と合致していない場合には、関連付けられた音声データの音量が大きい順に他の画像の確認を行い、最も所望の画像に合致する画像を選択することができる。なお、表示部１０６に表示する画像は、予め設定した枚数としてもよいし、全ての画像を順次表示することとしてもよい。
そして、ユーザにより選択された画像が、記録部１０５に記録される。
【００２６】
以上説明したように、本実施形態に係るカメラによれば、撮像部２により取得された画像が、撮影時における音の情報と関連付けられて記録され、音量の大きさに基づいて並び替えられた順序で表示されるので、ユーザは撮影時の音量の大きな画像から順に確認することができる。
【００２７】
したがって、例えば、パーティーの乾杯のシーンや、被写体の感情が強く表れるシーンのように大きな音や声が発せられるシーンを撮影した画像を優先的に表示して、多数の画像の中から所望の画像を探す手間を省くことができる。
また、音の情報として、音自体ではなく音の大きさとすることにより、音の情報を記録するための記録容量を低減することができる。
【００２８】
なお、本実施形態では、画像処理装置としてハードウェアによる処理を前提としていたが、このような構成に限定されるものではない。例えば、別途ソフトウェアにて処理する構成も可能である。この場合、画像処理装置は、ＣＰＵ、ＲＡＭ等の主記憶装置、上記処理の全て或いは一部を実現させるためのプログラムが記録されたコンピュータ読み取り可能な記録媒体を備えていればよい。そして、ＣＰＵが上記記憶媒体に記録されているプログラムを読み出して、情報の加工・演算処理を実行することにより、上述の画像処理装置と同様の処理を実現させることができる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００２９】
上記のソフトウェアによる具体的な処理について、図５および図６に示すフローチャートに基づいて以下に説明する。
まず、図５に示すフローチャートに基づいて撮影画像の取得が行われる。
撮影が開始されると、シャッタボタンが半押しされているか否かが判断され（Ｓ１）、周囲の音の録音が開始される（Ｓ２）。次に、シャッタボタンが全押しされているか否かが判断され（Ｓ３）、全押しされている場合には、画像の撮影および画像処理が行われるとともに（Ｓ４）、録音時間の計測を開始する（Ｓ５）。そして、録音時間が予め設定された時間となった場合には（Ｓ６）、録音を終了し（Ｓ７）、撮影した画像データと録音した音声データとの関連付けが行われる（Ｓ８）。
以上のように音声データと関連付けられた画像データを、メモリに記録し（Ｓ９）、撮影を終了する。
【００３０】
次に、図６に示すフローチャートに基づいて画像データの選択が行われる。
録音した音声データに基づく選択モードにより画像の選択が開始されると（Ｓ１０）、音声データに関連付けられた画像データをメモリから読み出してテーブルを作成する（Ｓ１１）。次に、録音された音声データの音の大きさが評価され（Ｓ１２）、その評価値に基づいて画像データの並び替えが行われる（Ｓ１３）。そして、並び替えられた順序にて表示部に画像データを表示し（Ｓ１４）、ユーザにより画像データの選択が行われる（Ｓ１５）。このように選択された画像データは、外部記録媒体に記録され（Ｓ１６）、表示枚数まで表示したことが判定された場合には（Ｓ１７）、画像データの選択を終了する。
なお、音声データ以外の他の選択モードが選択された場合には（Ｓ１８）、当該モードにおける条件により画像データが選択され（Ｓ１９）、選択された画像データを外部記録媒体に記録し（Ｓ２０）、撮影を終了する。
【００３１】
また、本実施形態において、音量が大きい順に並び替えるとして説明したが、音量が小さい順に並び替えることとしてもよい。これにより、所望する画像が静かなシーンである場合においても、小さな音量に関連付けられた画像を優先的に表示して、多数の画像の中から所望の画像を探す手間を省くことができる。
また、画像ソート部１１０により並び替えた画像を表示部１０６に出力するとして説明したが、画像ソート部１１０により並び替えた画像を記録部１０５に記録し、表示部１０６が記録部１０５より記録された画像を読み出すこととしてもよい。
【００３２】
また、音検出部１２１が、指向性を有することとしてもよい。このようにすることで、検出部を向けた特定の被写体の声の検出精度を向上させ、画像ソート部１１０による撮影画像の並び替えをより適切に行うことができる。
【００３３】
また、本実施形態に係るカメラの変形例として、音を記録することに代えて、所望の周波数を設定できるようにしてもよい。この場合、音検出部により検出された音のスペクトルを分析して比較すればよい。
本変形例に係るカメラは、図７に示すように、音を記録する音記録部１２０と、音記録部１２０に記録された音のスペクトルと音検出部１２１により検出された音のスペクトルとの比較を行う音比較部１２２とを有し、画像ソート部１１０が、音比較部１２２による比較結果に基づいて画像の並び替えを行う構成とされている。
【００３４】
このようにすることで、音記録部１２０に記録された特定の音のスペクトルと音検出部１２１により検出された音のスペクトルとの比較結果に基づいて、画像ソート部１１０により画像の並び替えが行われる。例えば、音記録部１２０に特定の被写体の声を記録しておくことで、当該被写体の声の周波数分布に近い音と関連付けられた画像の優先順位が高くなるように、画像の並び替えを行うことができる。これにより、周囲の雑音の影響を排除して、特定の被写体の声に関連付けられた画像を優先的に表示部１０６に表示することができ、ユーザが所望する画像をより容易に選択することが可能となる。
【図面の簡単な説明】
【００３５】
【図１】本発明の一実施形態に係るカメラが備える機能を展開して示した機能ブロック図である。
【図２】図１のカメラが効果的な場面を説明する図であり、（ａ）はパーティーの乾杯の場面、（ｂ）は被写体の感情が強く表れている場面である。
【図３】音の情報および画像の記録タイミングを説明する図である。
【図４】並び替えが行われた画像を説明する図である。
【図５】本発明の一実施形態に係るカメラの撮影時の処理手順を示すフローチャートである。
【図６】本発明の一実施形態に係るカメラの画像選択時の処理手順を示すフローチャートである。
【図７】本発明の変形例に係るカメラが備える機能を展開して示した機能ブロック図である。
【符号の説明】
【００３６】
１，１０  カメラ
２  撮像装置
３  画像処理装置
４  制御装置
１０５  記録部
１０６  表示部
１１０  画像ソート部
１１１  バッファメモリ
１２０  音記録部
１２１  音検出部
１２２  音比較部
【図１】
2009065461.tif 000003
【図２】
2009065461.tif 000004
【図３】
2009065461.tif 000005
【図４】
2009065461.tif 000006
【図５】
2009065461.tif 000007
【図６】
2009065461.tif 000008
【図７】
2009065461.tif 000009